(57)【特許請求の範囲】
【請求項１】
少なくとも１つのコンピューティングプラットフォームを用いて、
送信デバイスについてのシグナリング特性を取得することであって、前記シグナリング特性が、前記送信デバイスから移動局によって受信された１つまたは複数の信号に少なくとも部分的に基づき、少なくとも受信信号強度測定値と伝搬時間測定値とを備える、取得することと、
前記受信信号強度測定値と前記伝搬時間測定値との比較に少なくとも部分的に基づいて前記送信デバイスが複数のフロアを備える構造物の特定のフロア内にまたはその近くに位置する、と判断することであって、ここにおいて、前記判断することは、
前記受信信号強度測定値と前記伝搬時間測定値とに少なくとも部分的に基づく測定比を取得することと、
前記測定比を許容測定比と比較することと
をさらに備える、判断することと、
前記移動局が前記複数のフロアの１つまたは複数内に位置する間、前記比較に少なくとも部分的に基づいて、前記移動局による測位機能における使用から前記送信デバイスを除外することと
を備える方法。
【請求項２】
前記判断することは、
前記許容測定比を備える少なくとも１つの測定基準に少なくとも部分的に基づいて、前記移動局が前記測位機能において前記送信デバイスについての測位データを使用すべきかどうかを判断すること
をさらに備える、請求項１に記載の方法。
【請求項３】
前記受信信号強度測定値および／または前記伝搬時間測定値のうちの少なくとも１つを特定の測定単位に変換すること
をさらに備える、請求項１に記載の方法。
【請求項４】
前記少なくとも１つのコンピューティングプラットフォームを用いて、
前記移動局が前記測位機能において前記送信デバイスについての前記測位データを使用すべきであると判断したことに応答して、前記送信デバイスについての前記測位データを取得することと、前記測位データを前記測位機能に与えることと
をさらに備える、請求項２に記載の方法。
【請求項５】
前記少なくとも１つのコンピューティングプラットフォームを用いて、
適用可能な信号および送信デバイスを識別するために、様々な移動局およびアクセスポイントを使用して収集された１つまたは複数の他の信号についての少なくとも１つの追加のシグナリング特性を取得することをさらに備え、前記移動局が前記測位機能において前記送信デバイスについての前記測位データを使用すべきかどうかを判断することが、前記少なくとも１つの追加のシグナリング特性にさらに少なくとも部分的に基づく、請求項２に記載の方法。
【請求項６】
前記少なくとも１つのコンピューティングプラットフォームを用いて、
前記送信デバイスについての前記シグナリング特性のうちの少なくとも１つに少なくとも部分的に基づいて、構造物についての少なくとも１つの電子マップに影響を及ぼすこと、ここにおいて、前記電子マップは、信号ベースのヒートマップ、減衰マップ、信号受信モデル、および／または同様なものまたはそれらの組合せを備える、
をさらに備える、請求項１に記載の方法。
【請求項７】
請求項１乃至６のいずれかにしたがって方法を実行するための命令を備えるコンピュータプログラム。
【請求項８】
少なくとも１つのコンピューティングプラットフォームにおいて使用する装置であって、
送信デバイスについてのシグナリング特性を取得するための手段であって、前記シグナリング特性が、前記送信デバイスから移動局によって受信された１つまたは複数の信号に少なくとも部分的に基づき、少なくとも受信信号強度測定値と伝搬時間測定値とを備える、取得するための手段と、
前記受信信号強度測定値と前記伝搬時間測定値との比較に少なくとも部分的に基づいて前記送信デバイスが複数のフロアを備える構造物の特定のフロア内にまたはその近くに位置する、と判断するための手段であって、ここにおいて、前記判断するための手段は、
前記受信信号強度測定値と前記伝搬時間測定値とに少なくとも部分的に基づく測定比を取得するための手段と、
前記測定比を許容測定比と比較するための手段と
をさらに備える、判断するための手段と、
前記移動局が前記複数のフロアの１つまたは複数内に位置する間、前記比較に少なくとも部分的に基づいて、前記移動局による測位機能における使用から前記送信デバイスを除外するための手段と
を備える、装置。
【請求項９】
前記判断するための手段は、
前記許容測定比を備える少なくとも１つの測定基準に少なくとも部分的に基づいて、前記移動局が測位機能において前記送信デバイスについての測位データを使用すべきかどうかを判断するための手段
をさらに備える、請求項８に記載の装置。
【請求項１０】
前記少なくとも１つの測定基準が許容強度測定値しきい値または許容時間測定値しきい値のうちの少なくとも１つをさらに備え、
前記移動局が前記測位機能において前記送信デバイスについての前記測位データを使用すべきかどうかを判断するための前記手段が、
前記受信信号強度測定値を前記許容強度測定値しきい値と比較するための手段、または
前記伝搬時間測定値を前記許容時間測定値しきい値と比較するための手段
のうちの少なくとも１つをさらに備える、請求項９に記載の装置。
【請求項１１】
前記受信信号強度測定値および／または前記伝搬時間測定値のうちの少なくとも１つを特定の測定単位に変換するための手段
をさらに備える、請求項８に記載の装置。
【請求項１２】
適用可能な信号および送信デバイスを識別するために、様々な移動局およびアクセスポイントを使用して収集された１つまたは複数の他の信号についての少なくとも１つの追加のシグナリング特性を取得するための手段をさらに備え、
前記移動局が前記測位機能において前記送信デバイスについての前記測位データを使用すべきかどうかを判断するための前記手段が、前記少なくとも１つの追加のシグナリング特性にさらに少なくとも部分的に基づく、請求項９に記載の装置。
【請求項１３】
前記送信デバイスについての前記シグナリング特性のうちの少なくとも１つに少なくとも部分的に基づいて、構造物についての少なくとも１つの電子マップに影響を及ぼすための手段、ここにおいて、前記電子マップは、信号ベースのヒートマップ、減衰マップ、信号受信モデル、および／または同様なものまたはそれらの組合せを備える、をさらに備える、請求項８に記載の装置。
【発明の詳細な説明】
【技術分野】
【０００１】
関連出願
本出願は、その全体が参照により本明細書に組み込まれる、２０１１年１２月５日に出願された米国非仮特許出願第１３／３１１，３８２号の優先権を主張するＰＣＴ出願である。
【０００２】
[0001]  本明細書で開示する主題は、電子デバイスに関し、より詳細には、送信デバイスについての測位データ（positioning data）が測位機能（a positioning function）において使用され得るのか使用され得ないのかを選択するか、またはさもなければ判断するために、コンピューティングプラットフォームを備える様々なデバイスにおいて使用する方法、装置および製造品に関する。
【背景技術】
【０００３】
情報
[0002]  全地球測位システム（ＧＰＳ：Global Positioning System）は、他のタイプの衛星測位システム（ＳＰＳ：satellite positioning system）とともに、移動局において、特に屋外環境において、信号ベースの位置特定機能（signal-based position location capabilities）（たとえば、ナビゲーション機能）を与えるか、またはさもなければサポートするグローバルナビゲーション衛星システム（ＧＮＳＳ：Global Navigation Satellite System）の１つのタイプを表す。ただし、いくつかの衛星信号は、屋内環境内または他の同様の屋内／屋外混合環境内の移動局によって確実に受信および／または捕捉されないことがあるので、位置特定サービス（position location services）を可能にするために異なる技法が採用され得る。
【０００４】
[0003]  たとえば、移動局は、既知のロケーションに位置する３つ以上の地上波送信デバイス（たとえば、ワイヤレスアクセスポイント、ビーコン、セルタワーなど）までのレンジを測定すること（measuring ranges）によって位置フィックス（a position fix）を取得しようと試みることがある。そのようなレンジ（ranges）は、たとえば、そのような送信デバイスから受信された信号からＭＡＣ  ＩＤアドレスを取得することと、たとえば、そのような送信デバイスから受信された信号の、信号強度、ラウンドトリップ遅延時間（a round trip delay time）など、１つまたは複数の特性を測定することによって送信デバイスまでのレンジ測定値（range measurements）を取得することと、によって測定され得る。
【０００５】
[0004]  いくつかの事例では、適用可能な測位データがそれらから取得または導出され得る信号を送信する極めて多くの送信デバイスがあり得、たとえば、移動局のロケーションを推定する測位機能においてどの測位データを使用すべきかを選択することが有用であり得る。
【発明の概要】
【０００６】
[0005]  一態様によれば、少なくとも１つのコンピューティングプラットフォームを使用して実行され得る例示的な方法は、送信デバイスについてのシグナリング特性（signaling characteristics）を取得することであって、シグナリング特性が、送信デバイスから受信デバイスによって受信された（received by a receiving device from the transmitting device）１つまたは複数の信号に少なくとも部分的に基づき、少なくとも受信信号強度測定値（a received signal strength measurement）と伝搬時間測定値（a propagation time measurement）とを備える、取得することと、受信信号強度測定値と伝搬時間測定値とに少なくとも部分的に基づいて、移動局が測位機能において送信デバイスについての測位データを使用すべきかどうかを判断することと、を備え得る。
【０００７】
[0006]  別の態様によれば、少なくとも１つのコンピューティングプラットフォームにおいて使用する例示的な装置が提供され得、例示的な装置は、送信デバイスについてのシグナリング特性を取得するための手段であって、シグナリング特性が、送信デバイスから受信デバイスによって受信された１つまたは複数の信号に少なくとも部分的に基づき、少なくとも受信信号強度測定値と伝搬時間測定値とを備える、取得するための手段と、受信信号強度測定値と伝搬時間測定値とに少なくとも部分的に基づいて、移動局が測位機能において送信デバイスについての測位データを使用すべきかどうかを判断するための手段と、を備え得る。
【０００８】
[0007]  また別の態様によれば、例示的な装置は、ネットワークインターフェースと、ネットワークインターフェースを介して、送信デバイスについてのシグナリング特性を取得することであって、シグナリング特性が、送信デバイスから受信デバイスによって受信された１つまたは複数の信号に少なくとも部分的に基づき、少なくとも受信信号強度測定値と伝搬時間測定値とを備える、取得することと、受信信号強度測定値と伝搬時間測定値とに少なくとも部分的に基づいて、移動局が測位機能において送信デバイスについての測位データを使用すべきかどうかを判断することと、を行うための処理ユニットと、を備え得る。
【０００９】
[0008]  さらに別の態様によれば、送信デバイスについてのシグナリング特性を取得することであって、シグナリング特性が、送信デバイスから受信デバイスによって受信された１つまたは複数の信号に少なくとも部分的に基づき、少なくとも受信信号強度測定値と伝搬時間測定値とを備える、取得することと、受信信号強度測定値と伝搬時間測定値とに少なくとも部分的に基づいて、移動局が測位機能において送信デバイスについての測位データを使用すべきかどうかを判断することと、を行うように専用コンピューティングプラットフォームによって実行可能であるコンピュータ実装可能命令を記憶した非一時的コンピュータ可読媒体を備える例示的な製造品が提供され得る。
【００１０】
[0009]  以下の図を参照しながら非限定的で非網羅的な態様について説明し、別段に規定されていない限り、様々な図の全体を通して、同様の参照番号は同様の部分を指す。
【図面の簡単な説明】
【００１１】
【図１】[0010]  一実装形態による、送信デバイスについての測位データが測位機能において使用され得るのか使用され得ないのかを選択するか、またはさもなければ判断するための、１つまたは複数のコンピューティングプラットフォームを有する様々なデバイスを備える例示的な環境を示す概略ブロック図。
【図２】[0011]  一実装形態による、送信デバイスについての測位データが測位機能において使用され得るのか使用され得ないのかを選択するか、またはさもなければ判断するための、移動局の形態の例示的なコンピューティングプラットフォームのいくつかの特徴を示す概略ブロック図。
【図３】[0012]  一実装形態による、送信デバイスについての測位データが測位機能において使用され得るのか使用され得ないのかを選択するか、またはさもなければ判断するための、１つまたは複数のデバイスにおいて使用する例示的なコンピューティングプラットフォームのいくつかの特徴を示す概略ブロック図。
【図４】[0013]  一実装形態による、送信デバイスについての測位データが測位機能において使用され得るのか使用され得ないのかを選択するか、またはさもなければ判断するための、１つまたは複数のコンピューティングプラットフォームにおいて使用する例示的なプロセスまたは方法のいくつかの特徴を示す流れ図。
【図５】[0014]  一実装形態による、複数の送信デバイスを有する例示的な構造物（）の例示的な図。
【図６】[0015]  一実装形態による、たとえば、図５のような構造物内の異なるロケーションに位置する様々な送信デバイスから移動局によって受信された信号についてのいくつかの例示的なシグナリング特性に関するいくつかの観測を示すグラフ。
【発明を実施するための形態】
【００１２】
[0016]  本明細書では、専用コンピューティングプラットフォームを備えるかまたはその形態をとり得る１つまたは複数の電子デバイスとともに使用する、様々な方法、装置として実装されるか、またはさもなければ製造品中に与えられ得るデータ処理技法を提供する。
【００１３】
[0017]  本明細書で提供するいくつかの例示的なデータ処理技法は、１つまたは複数の測位機能を実行するとき、移動局が送信デバイスについての測位データを利用すべきであるのか利用すべきでないのかを判断するために少なくとも部分的に使用され得る。そのような判断は、複数の送信デバイスについての測位データに少なくとも部分的に基づいて移動局のロケーションを推定するための測位機能に特に有用であり得る。
【００１４】
[0018]  たとえば、そのような判断は、そのような信号を受信する移動局が、極めて多くの送信デバイスから信号が受信され得る領域中にあり得、受信された信号のうちのいくつかが他の受信された信号よりも正確な測位データを与え得る状況において有用であり得る。たとえば、いくつかの受信された信号は、測位機能によってモデル化されるか、またはさもなければ予想され得る、１つまたは複数の媒体を通して送信デバイスから受信デバイス（たとえば、移動局）に伝搬し得る。したがって、そのような受信された信号から少なくとも部分的に取得された得られた測位データ（resulting positioning data）は、異なる方法または予期しない方法で伝搬した可能性のある他の信号からの測位データよりも正確であるか、またはさもなければ測位機能にとって信頼できるものであり得る。たとえば、いくつかの事例では、たとえば、信号が何らかの介在する非大気物体（intervening non-atmospheric objects）（たとえば、壁、床など）を隔てて、それらの周りを、またはそれらを通して伝搬することなしに、大気媒体（an atmospheric medium）を通して信号を移動局に直接送信する可能性が高いことがある送信デバイスについての測位データを測位機能が使用することがより有用であり得る。
【００１５】
[0019]  いくつかの例示的な実装形態では、そのような技法は、１つまたは複数のコンピューティングプラットフォームにおいて全体的にまたは部分的に実装され得る。たとえば、いくつかの事例では、そのような技法は、専用コンピューティングプラットフォームを備えるかまたはさもなければその形態をとり得る移動局において少なくとも部分的に実装され得る。たとえば、いくつかの他の事例では、そのような技法は、専用コンピューティングプラットフォームを備えるかまたはさもなければその形態をとり得る１つまたは複数の他のデバイスにおいて少なくとも部分的に実装され得る。
【００１６】
[0020]  したがって、いくつかの例示的な実装形態では、専用コンピューティングプラットフォームは送信デバイスについてのシグナリング特性を取得し得る。シグナリング特性は、たとえば、送信デバイスから受信デバイスによって受信された１つまたは複数の信号に少なくとも部分的に基づき得る。いくつかの例示的な事例では、そのようなシグナリング特性は、少なくとも受信信号強度測定値と伝搬時間測定値とを備え得る。専用コンピューティングプラットフォームは、次いで、受信信号強度測定値と伝搬時間測定値とに少なくとも部分的に基づいて、移動局が測位機能において送信デバイスについての測位データを使用すべきかどうかを判断し得る。
【００１７】
[0021]  いくつかの例示的な実装形態では、専用コンピューティングプラットフォームは、受信信号強度測定値を伝搬時間測定値と比較することによって、移動局が測位データを使用すべきかどうかを判断し得る。
【００１８】
[0022]  いくつかの例示的な実装形態では、専用コンピューティングプラットフォームは、１つまたは複数の測定基準（measurement criteria）に少なくとも部分的に基づいて、移動局が測位データを使用すべきかどうかを判断し得る。たとえば、測定基準は許容測定比（an acceptable measurement ratio）を備え得、専用コンピューティングプラットフォームは、受信信号強度測定値と伝搬時間測定値とに少なくとも部分的に基づく測定比を取得し、その測定比を許容測定比と比較し得る。たとえば、測定基準は許容強度測定値しきい値（an acceptable strength measurement threshold value）を備え得、専用コンピューティングプラットフォームは受信信号強度測定値を許容強度測定値しきい値と比較し得る。たとえば、測定基準は許容時間測定値しきい値（an acceptable time measurement threshold value）を備え得、専用コンピューティングプラットフォームは伝搬時間測定値を許容時間測定値しきい値と比較し得る。
【００１９】
[0023]  いくつかの例示的な実装形態では、移動局が測位機能において送信デバイスについての測位データを使用すべきであると判断したことに応答して、専用コンピューティングプラットフォームは、送信デバイスについての適用可能な測位データを取得し、測位データの少なくとも一部分を測位機能に与え得る。測位データに少なくとも部分的に基づいて、測位機能は、たとえば、移動局と送信デバイスとの間の推定レンジ（an estimated range）、座標系に関する移動局の推定ロケーション（an estimated location）、構造物（a structure）内の１つまたは複数の屋内領域に関する移動局の推定ロケーション（an estimated location）、ならびに／あるいは他の同様の測位関係情報および／またはナビゲーション関係情報を判断し得る。そのような例示的なおよび他の同様の信号ベースの測位技法はよく知られている。
【００２０】
[0024]  いくつかの例示的な実装形態では、専用コンピューティングプラットフォームはさらに、たとえば、少なくとも１つの他の受信デバイスによって送信デバイスから受信された１つまたは複数の他の信号についての１つまたは複数の追加のシグナリング特性を取得し、（１つまたは複数の）追加のシグナリング特性にさらに少なくとも部分的に基づいて、移動局が測位機能において送信デバイスについての測位データを使用すべきかどうかを判断し得る。したがって、たとえば、様々なシグナリング特性および／または環境内の様々なロケーション、領域、構造物、送信デバイスなどに関するモデルを収集するか、またはさもなければ展開するために、クラウドソース（crowd-source）または他のアーカイビング技法が実装され得る。いくつかの例示的な実装形態では、１つまたは複数のデバイスが、たとえば、特定の送信デバイスに関する利用可能な測定値の数および／または他の同様の情報などに応じて、ロケーション位置（a location position）を推定する際により有用であり得る特定の測定値、および／またはロケーション位置を推定する際にあまり有用でないことがある特定の測定値を識別することが可能であり得る。したがって、たとえば、いくつかのワイヤレス信号測定値が、ロケーション位置を推定する際に使用するように選択されるか、または逆に回避され得る。たとえば、いくつかのワイヤレス信号は、送信デバイスの位置、潜在的マルチパス伝搬（potential multipath propagation）などに関するより大きい不確実性を有する他のワイヤレス信号よりも正確なレンジング推定値（ranging estimates）などを与え得る。いくつかの例示的な実装形態では、１つまたは複数の送信デバイスからの１つまたは複数の信号の潜在的使用および／または信頼性あるいは逆に潜在的不使用および／または不信頼性に関するそのような情報は、１つまたは複数のネットワークデバイスおよび／またはモバイルデバイスの間で記録、共有、報告などされ得る。いくつかの事例では、そのような技法は、精度の所望のレベルなどに基づいて（たとえば、１つまたは複数のしきい値に基づいて）実装され得る。いくつかの事例では、たとえば、いくつかの状態／状況に応じて、場合によってはより有用である（または逆にあまり有用でない）と見なされ得る適用可能な信号／送信デバイスを明確に識別するクラウドソーシング機能（a crowd-sourcing capability）が与えられ得る。
【００２１】
[0025]  いくつかの例示的な実装形態では、専用コンピューティングプラットフォームは、送信デバイスについての１つまたは複数のシグナリング特性に少なくとも部分的に基づいて、たとえば、構造物についての少なくとも１つの電子マップに影響を及ぼし（affect at）得る。たとえば、サーバデバイスは、送信デバイスについての１つまたは複数のシグナリング特性に少なくとも部分的に基づいて、構造物についての、信号ベースのヒートマップ（a signal-based heatmap）、減衰マップ（attenuation map）、信号受信モデル、および／または同様なものまたはそれらの組合せを確立するか、またはさもなければ維持し得る。
【００２２】
[0026]  受信信号強度測定値は、たとえば、受信デバイスにおいて測定された、送信デバイスからの１つまたは複数の信号の受信信号強度を示し得る。いくつかの例示的な事例では、受信信号強度測定値は受信電力レベルを示し得る（たとえば、受信信号強度インジケータ（a received signal strength indicator）（ＲＳＳＩ）など）。いくつかの例示的な事例では、受信信号強度測定値は、たとえば、異なる送信デバイス、異なる初期送信電力レベルを考慮すること、測定値を正規化し、重み付け方式を適用することなどのための、調整された受信電力レベルを示し得る。
【００２３】
[0027]  さらに他の例示的な実装形態では、受信信号強度測定値は、受信電力レベルおよび／または調整された受信電力レベルから導出された値を示し得る。したがって、いくつかの例示的な実装形態では、受信信号強度測定値は、特定の測定単位（particular unit of measure）を有する値を当然示すか、またはその値を示すように変換され得、その値は、変換式などに基づいて、受信電力レベルおよび／または調整された受信電力レベルから導出（たとえば、判断、推定など）され得る。たとえば、いくつかの事例では、受信信号強度測定値が、それの対応する伝搬時間測定値の測定単位と同じ測定単位を有する値を示すことが有用であり得る。したがって、いくつかの例示的な実装形態では、受信信号強度測定値および伝搬時間測定値が、何らかの方法で比較され得る距離値（a distance value）または何らかの他の測定単位を示すことが有用であり得る。したがって、たとえば、受信信号強度測定値は、送信デバイスと受信デバイスとの間に特定の環境を仮定して、受信信号が進んだ可能性のある、送信デバイスから受信デバイスまでの推定距離（an estimated distance）を示し得、たとえば、推定距離は、受信電力レベルまたは調整された受信電力レベルから、および、既知のまたは仮定された初期送信電力レベル、適用可能な送信および／または受信アンテナパラメータなどから、少なくとも部分的に導出され得る。そのような例示的なおよび他の同様の信号電力測定およびモデリング／変換技法はよく知られている。
【００２４】
[0028]  伝搬時間測定値は、たとえば、信号が送信デバイスと受信デバイスとの間を少なくとも１回移動するのにかかる時間期間の実際の測定値、またはその時間期間の推定値を示し得る。いくつかの例示的な事例では、伝搬時間測定値は、ラウンドトリップ時間（ＲＴＴ：round trip time）、到着時間差（ＴＤＯＡ：time difference of arrival）などのうちの１つまたは複数に少なくとも部分的に基づき得る。いくつかの例示的な事例では、伝搬時間測定値は調整された時間期間を示し得る。
【００２５】
[0029]  さらに他の例示的な実装形態では、伝搬時間測定値は、時間期間および／または調整された時間期間から導出された値を示し得る。したがって、いくつかの例示的な実装形態では、伝搬時間測定値は、特定の測定単位を有する値を示し得、その値は、変換式などに基づいて、時間期間および／または調整された時間期間から導出（たとえば、判断、推定、変換など）され得る。前述のように、いくつかの事例では、伝搬時間測定値が、それの対応する受信信号強度測定値の測定単位と同じ特定の測定単位を有する値を示すことが有用であり得る。したがって、いくつかの例示的な実装形態では、伝搬時間測定値および受信信号強度測定値が距離値などを示すことが有用であり得る。したがって、たとえば、伝搬時間測定値は、送信デバイスと受信デバイスとの間に特定の環境を仮定して、受信された信号が進んだ可能性のある、送信デバイスから受信デバイスまでの推定距離を示し得る。そのような例示的なおよび他の同様のタイミング測定およびモデリング／変換技法はよく知られている。
【００２６】
[0030]  本明細書で使用する「構造物（structure）」という用語は、たとえば、（１つまたは複数の）物体の１つまたは複数の自然および／または人工の物理的配置（の全部または一部）に適用され得、それに関する知識は移動局のユーザにとって有用であり得る。たとえば、構造物は、移動局のユーザが、その中に入る、その中から出る、および／またはさもなければその中で動き回る建築物の全部または一部を備え得る。いくつかの例示的な構造物は、屋内空間と屋外空間との混合を備え得る。
【００２７】
[0031]  本明細書で使用する「領域（region）」という用語は、たとえば、何らかの方法で区別され得る構造物の全部または一部に関係し得る。いくつかの事例では、たとえば、２つ以上の異なる領域が、物体、たとえば、床、天井、デッキ、壁、階段、エレベータ、歩道などの様々な物理的配置に少なくとも部分的に基づいて互いに区別され得る。したがって、たとえば、構造物の２つ以上の領域は、建築物の２つ以上の異なるレベル（たとえば、階（floors））、建築物中の２つ以上のオフィススイート（office suite）、ショッピングモール中の店舗などに関係し得る。
【００２８】
[0032]  図１は、一実装形態による、送信デバイスについての測位データが測位機能において使用され得るのか使用され得ないのかを選択するか、またはさもなければ判断するための、１つまたは複数のコンピューティングプラットフォームを有する様々なデバイスを備える例示的な環境１００を示す概略ブロック図である。たとえば、図示のように、環境１００は、少なくとも１つの送信デバイス１１０についての測位データが測位機能において使用され得るのか使用され得ないのかを選択するか、またはさもなければ判断するための移動局１０２および／または１つまたは複数の他のデバイス１０６を備え得る。測位機能は、たとえば、選択された測位データに少なくとも部分的に基づいて、構造物１３０内の複数の異なる屋内領域１３２のうちの少なくとも１つに関する移動局１０２のロケーション１３４を推定するために少なくとも部分的に使用され得る。そのような測位機能は、たとえば、移動局１０２および／または１つまたは複数の他のデバイス１０６中に全体的にまたは部分的に与えられ得る。
【００２９】
[0033]  例として、移動局１０２は、構造物内でユーザによってあちこち移動され得、および、送信デバイス１１０（たとえば、アクセスポイント、セルタワー、ビーコンなど）および／または（１つまたは複数の）ネットワーク１０４中の他のリソースなどによって送信された信号を受信するためのネットワークインターフェース１１４を備える、何らかの電子デバイスを備え得る。したがって、いくつかの例として、移動局１０２は、セルフォン、スマートフォン、コンピュータ（たとえば、ラップトップコンピュータ、タブレットコンピュータ、ウェアラブルコンピュータなどのパーソナルコンピュータ）、ナビゲーションエイド、デジタル書籍リーダー、ゲームデバイス、音楽および／またはビデオプレーヤデバイス、カメラなどを備え得る。
【００３０】
[0034]  装置１１６は、一実装形態による、移動局１０２中に与えられ得る、および、送信デバイス１１０についての測位データが測位機能において使用され得るのか使用され得ないのかを選択するか、またはさもなければ判断するために、少なくとも部分的に使用され得る、たとえば、ハードウェア、ファームウェア、ハードウェアとソフトウェアとの組合せ、ならびに／あるいはファームウェアとソフトウェアまたは他の同様の論理との組合せなどの回路を表す。
【００３１】
[0035]  いくつかの例示的な実装形態では、移動局１０２は、スタンドアロンデバイスとして排他的にまたは選択的に機能し得、興味のある／有用な１つまたは複数の機能／サービス（a one or more capabilities/services of interest/use）をユーザに提供し得る。いくつかの例示的な実装形態では、移動局１０２は、たとえば、（１つまたは複数の）ネットワーク１０４と標示されたクラウド（the cloud labeled network(s) 104）へのワイヤレス通信リンクによって示されるように、１つまたは複数の他のデバイスと何らかの方法で通信し得る。（１つまたは複数の）ネットワーク１０４は、移動局１０２が、たとえば、１つまたは複数のワイヤードまたはワイヤレス通信リンクを使用してネットワークインターフェース１１４を介してそれと通信するかまたはそれを介して通信し得る１つまたは複数の通信リソースおよび／またはコンピューティングリソース（たとえば、デバイスおよび／またはサービス）を表し得る。したがって、いくつかの事例では、移動局１０２は（１つまたは複数の）ネットワーク１０４を介してデータおよび／または命令を受信（または送信）し得る。いくつかの事例では、移動局１０２は、たとえば、送信デバイス１１０から信号を受信するだけでなく、そのような（たとえば、受信機を有する）送信デバイスに信号を送信することもある。
【００３２】
[0036]  いくつかの例示的な実装形態では、移動局１０２は、１つまたは複数の送信デバイス１１０および／または（１つまたは複数の）ネットワーク１０４に関連し得る１つまたは複数のワイヤレス通信ネットワーク、ロケーションサービス、および／あるいは同様なものまたはそれらの任意の組合せに関連する信号を受信することが可能であり得る。
【００３３】
[0037]  移動局１０２は、たとえば、（たとえば、ネットワークインターフェース１１４を介して）ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などの様々なワイヤレス通信ネットワークとともに使用することが可能であり得る。「ネットワーク」および「システム」という用語は、本明細書では互換的に使用され得る。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどであり得る。ＣＤＭＡネットワークは、ほんのいくつかの無線技術を挙げれば、ｃｄｍａ２０００、広帯域ＣＤＭＡ（Ｗ−ＣＤＭＡ（登録商標））、時分割同期符号分割多元接続（ＴＤ−ＳＣＤＭＡ）などの１つまたは複数の無線アクセス技術（ＲＡＴ）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信のためのグローバルシステム（ＧＳＭ（登録商標）：Global System for Mobile Communications）、デジタルアドバンストモバイルフォンシステム（Ｄ−ＡＭＰＳ：Digital Advanced Mobile Phone System）、または何らかの他のＲＡＴを実装し得る。ＧＳＭおよびＷ−ＣＤＭＡは、「第３世代パートナーシッププロジェクト」（３ＧＰＰ：3rd Generation Partnership Project）と称する団体からの文書に記載されている。ｃｄｍａ２０００は、「第３世代パートナーシッププロジェクト２」（３ＧＰＰ２：3rd Generation Partnership Project 2）と称する団体からの文書に記載されている。３ＧＰＰおよび３ＧＰＰ２の文書は公的に入手可能である。たとえば、ＷＬＡＮは、ＩＥＥＥ８０２．１１ｘネットワークを含み得、ＷＰＡＮは、Ｂｌｕｅｔｏｏｔｈ（登録商標）ネットワーク、ＩＥＥＥ８０２．１５ｘを含み得る。ワイヤレス通信ネットワークは、たとえば、ロングタームエボリューション（ＬＴＥ：Long Term Evolution）、アドバンストＬＴＥ、ＷｉＭＡＸ（登録商標）、ウルトラモバイルブロードバンド（ＵＭＢ：Ultra Mobile Broadband）など、いわゆる次世代技術（たとえば、「４Ｇ」）を含み得る。
【００３４】
[0038]  いくつかの例示的な実装形態では、移動局１０２は、グローバルナビゲーション衛星システム（ＧＮＳＳ）、または他の同様の衛星および／または地上波位置特定サービス、（たとえば、セルラーネットワーク、ＷｉＦｉ（登録商標）ネットワークなどを介した）ロケーションベースサービスなど、（１つまたは複数の）様々なロケーションサービスとともに使用するために（たとえば、ネットワークインターフェース１１４または他のロケーション受信機を介して）可能にされ得る。
【００３５】
[0039]  １つまたは複数の他のデバイス１０６は、いくつかの実装形態ではネットワークインターフェース１１４と同様であり得るネットワークインターフェース１１８を介して（１つまたは複数の）ネットワーク１０４に接続されるものとして示されている。他のデバイス１０６は、たとえば、装置１２０を与え得る１つまたは複数のコンピューティングプラットフォーム、たとえば、サーバなどを備え得る。装置１２０は、たとえば、一実装形態によれば、送信デバイス１１０についての測位データが測位機能において使用され得るのか使用され得ないのかを選択するか、またはさもなければ判断するために、少なくとも部分的に使用され得る。
【００３６】
[0040]  また、図１には、送信デバイス１１０と移動局１０２との間でおよび／または送信デバイス１１０と１つまたは複数の他のデバイス１０６との間で送信され得る１つまたは複数のワイヤレス信号（単方向または双方向）を表し得る通信リンク１３６−１および１３６−２が示されている。いくつかの事例では、通信リンク１３６−２は、たとえば、（１つまたは複数の）ネットワーク１０４を介したワイヤード通信リンクを備え得る。移動局１０２と（１つまたは複数の）ネットワーク１０４との間で送信される１つまたは複数のワイヤレス信号（単方向または双方向）を表し得る別の通信リンク１３８が示されている。１つまたは複数の他のデバイス１０６と（１つまたは複数の）ネットワーク１０４との間で送信される１つまたは複数のワイヤードおよび／またはワイヤレス信号（単方向または双方向）を表し得る別の通信リンク１４０が示されている。
【００３７】
[0041]  図２は、一実装形態による、送信デバイス１１０についての測位データ２２６が１つまたは複数の測位機能２２８において使用され得るのか使用され得ないのかを選択するか、またはさもなければ判断する際に使用する、移動局１０２の形態で示された例示的なコンピューティングプラットフォーム２００のいくつかの特徴を示す概略ブロック図である。
【００３８】
[0042]  図示のように、移動局１０２は、１つまたは複数の接続２０６を介してメモリ２０４に結合された、（たとえば、本明細書で提供する技法による）データ処理を実行するための１つまたは複数の処理ユニット２０２を備え得る。（１つまたは複数の）処理ユニット２０２は、たとえば、ハードウェアまたはハードウェアとソフトウェアとの組合せで実装され得る。（１つまたは複数の）処理ユニット２０２は、データコンピューティング手順またはプロセスの少なくとも一部分を実行するように構成可能な１つまたは複数の回路を表し得る。限定ではなく例として、処理ユニットは、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００３９】
[0043]  メモリ２０４は何らかのデータ記憶機構を表し得る。メモリ２０４は、たとえば、１次メモリ２０４−１および／または２次メモリ２０４−２を含み得る。１次メモリ２０４−１は、たとえば、ランダムアクセスメモリ、読取り専用メモリなどを備え得る。この例では処理ユニットとは別個のものとして示されているが、１次メモリの全部または一部は、移動局１０２内の（１つまたは複数の）処理ユニット２０２または他の同様の回路内に設けられるか、あるいはそのような回路と共設／結合され得ることを理解されたい。２次メモリ２０４−２は、たとえば、１次メモリと同じまたは同様のタイプのメモリ、および／または１つまたは複数のデータストレージデバイスまたはシステム、たとえば、ディスクドライブ、光ディスクドライブ、テープドライブ、固体メモリドライブなどを備え得る。いくつかの実装形態では、２次メモリは、コンピュータ可読媒体２５０を動作可能に受容するか、またはさもなければそれに結合するように構成可能であり得る。メモリ２０４および／またはコンピュータ可読媒体２５０は、たとえば、本明細書で提供する本技法および／または装置１１６（図１）によるデータ処理に関連する命令２５２を備え得る。
【００４０】
[0044]  移動局１０２は、たとえば、１つまたは複数のユーザ入力デバイス２０８、１つまたは複数の出力デバイス２１０、１つまたは複数のネットワークインターフェース１１４、および／または１つまたは複数のロケーション受信機２１６をさらに備え得る。
【００４１】
[0045]  （１つまたは複数の）入力デバイス２０８は、たとえば、１つまたは複数のユーザ入力を受信するために使用され得る様々なボタン、スイッチ、タッチパッド、トラックボール、ジョイスティック、タッチスクリーン、マイクロフォン、カメラなどを備え得る。出力デバイス２１０は、たとえば、ユーザのための視覚出力、可聴出力、および／または触覚出力を生成する際に使用され得る様々なデバイスを備え得る。
【００４２】
[0046]  ネットワークインターフェース１１４は、たとえば、１つまたは複数の通信リンクを介した、たとえば、１つまたは複数の送信デバイス１１０および／または（１つまたは複数の）ネットワーク１０４（図１）への接続性を与え得る。ロケーション受信機２１６は、たとえば、１つまたは複数のロケーションサービス、ＧＰＳなど（図示せず）から、ある時間に移動局１０２のロケーションを推定する際に使用され得る信号を取得し得る。
【００４３】
[0047]  たとえば、（１つまたは複数の）処理ユニット２０２および／または命令２５２は、たとえば、本明細書の様々な例示的な技法で説明する、１つまたは複数のシグナリング特性２２０、１つまたは複数の受信信号強度測定値２２２、１つまたは複数の伝搬時間測定値２２４、測位データ２２６、１つまたは複数の測位機能２２８のためのまたはそれをサポートする命令および／またはデータ、１つまたは複数の測定基準２３０、１つまたは複数の測定比２３２、（たとえば、１つまたは複数の値を特定の測定単位に変換するための）１つまたは複数の測定コンバーター機能（measurement converter functions）２３４のためのまたはそれをサポートする命令および／またはデータ、（たとえば、移動局から、マップ、座標点、領域、構造物など中で示される、ある送信デバイス、物体までの）１つまたは複数の推定レンジ２３６、（たとえば、マップ、座標点、領域、構造物など中で示される、送信デバイス、物体に関する移動局の）１つまたは複数の推定ロケーション２３８、１つまたは複数の追加のシグナリング特性２４０、および／または同様なものまたはそれらの任意の組合せなど、メモリ２０４に記憶された１つまたは複数の符号化された電気信号を与えるか、またはさもなければそれに関連し得る。
【００４４】
[0048]  いくつかの事例では、（１つまたは複数の）測位機能２２８は、たとえば、測位機能、ナビゲーション機能、ロケーションベースサービス機能など、またはそれらの任意の組合せの全部または一部を備え得る。たとえば、１つまたは複数の測位機能は、少なくとも１つの屋内領域内のまたはそれに関する移動局１０２のロケーションを推定するために少なくとも部分的に使用され得る。たとえば、１つまたは複数の測位機能は、１つまたは複数の選択された送信デバイス１１０についての測位データ２２６を考慮し得る。たとえば、移動局１０２のロケーションを推定することは、何らかの座標系に関する移動局１０２の推定ロケーションの座標を判断することを少なくとも部分的に備え得る。たとえば、移動局１０２のロケーションを推定することは、（たとえば、電子マップ中で示され得る）１つまたは複数の送信デバイス１１０、屋内領域１３２、構造物１３０、および／またはその中のまたはその周りの何らかの物体、サービス、興味のある地点（point of interest）などに対する移動局１０２の位置を判断することを少なくとも部分的に備え得る。たとえば、移動局１０２のロケーションを推定することは、たとえば、少なくとも１つの屋内領域の中への、その中からの、もしくはその内部での、または座標系などに関する、および／または同様なものまたはそれらの任意の組合せに関する、移動局１０２の移動（たとえば、ヘッディング、速度（heading, velocity）など）またはそのような移動がないことを判断することを少なくとも部分的に備え得る。
【００４５】
[0049]  図３は、一実装形態による、送信デバイス１１０についての測位データ２２６が１つまたは複数の測位機能２２８において使用され得るのか使用され得ないのかを選択するか、またはさもなければ判断する際に使用され得る、１つまたは複数の他のデバイス１０６において使用する例示的なコンピューティングプラットフォーム３００のいくつかの特徴を示す概略ブロック図である。いくつかの事例では、図２に示されている移動局１０２中の１つまたは複数の測位機能２２８が、１つまたは複数の他のデバイス１０６において代替または増強として全体的にまたは部分的に与えられ得ることに留意されたい。
【００４６】
[0050]  図示のように、コンピューティングプラットフォーム３００は、１つまたは複数の接続３０６を介してメモリ３０４に結合された、（たとえば、本明細書で提供する技法による）データ処理を実行するための１つまたは複数の処理ユニット３０２を備え得る。（１つまたは複数の）処理ユニット３０２は、たとえば、ハードウェアまたはハードウェアとソフトウェアとの組合せで実装され得る。（１つまたは複数の）処理ユニット３０２は、データコンピューティング手順またはプロセスの少なくとも一部分を実行するように構成可能な１つまたは複数の回路を表し得る。限定ではなく例として、処理ユニットは、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００４７】
[0051]  メモリ３０４は何らかのデータ記憶機構を表し得る。メモリ３０４は、たとえば、１次メモリ３０４−１および／または２次メモリ３０４−２を含み得る。１次メモリ３０４−１は、たとえば、ランダムアクセスメモリ、読取り専用メモリなどを備え得る。この例では処理ユニットとは別個のものとして示されているが、１次メモリの全部または一部は、コンピューティングプラットフォーム３００内の（１つまたは複数の）処理ユニット３０２または他の同様の回路内に設けられるか、あるいはそのような回路と共設／結合され得ることを理解されたい。２次メモリ３０４−２は、たとえば、１次メモリと同じまたは同様のタイプのメモリ、および／または１つまたは複数のデータストレージデバイスまたはシステム、たとえば、ディスクドライブ、光ディスクドライブ、テープドライブ、固体メモリドライブなどを備え得る。いくつかの実装形態では、２次メモリは、コンピュータ可読媒体３５０を動作可能に受容するか、またはさもなければそれに結合するように構成可能であり得る。メモリ３０４および／またはコンピュータ可読媒体３５０は、たとえば、本明細書で提供する本技法ならびに／あるいは装置１１６および／または１２０（図１）によるデータ処理に関連する命令３５２を備え得る。
【００４８】
[0052]  コンピューティングプラットフォーム３００は、たとえば、１つまたは複数のネットワークインターフェース１１８をさらに備え得る。ネットワークインターフェース１１８は、たとえば、１つまたは複数のワイヤードおよび／またはワイヤレス通信リンクを介した、たとえば、（１つまたは複数の）ネットワーク１０４、移動局１０２、および／または送信デバイス１１０（図１）への接続性を与え得る。
【００４９】
[0053]  たとえば、（１つまたは複数の）処理ユニット３０２および／または命令３５２は、たとえば、本明細書の様々な例示的な技法で説明する、１つまたは複数のシグナリング特性２２０、１つまたは複数の受信信号強度測定値２２２、１つまたは複数の伝搬時間測定値２２４、１つまたは複数の測定基準２３０、１つまたは複数の測定比２３２、１つまたは複数の測定コンバーター機能２３４のためのまたはそれをサポートする命令および／またはデータ、１つまたは複数の追加のシグナリング特性２４０、１つまたは複数の電子マップ３２０、および／または同様なものまたはそれらの任意の組合せなど、メモリ３０４に記憶された１つまたは複数の符号化された電気信号を与えるか、またはさもなければそれに関連し得る。図３には示されていないが、図２の例示的なモバイルデバイス１０２に記憶されるかまたはそれにおいて使用される、測位データ２２６、１つまたは複数の測位機能２２８のためのまたはそれをサポートする命令および／またはデータ、１つまたは複数の推定レンジ２３６、１つまたは複数の推定ロケーション２３８、および／または他の同様の情報がメモリ３０４に時々与えられ得ることを理解されたい。
【００５０】
[0054]  図４は、一実装形態による、送信デバイス１１０についての測位データ２２６が１つまたは複数の測位機能２２８において使用され得るのか使用され得ないのかを選択するか、またはさもなければ判断する際に、１つまたは複数のコンピューティングプラットフォーム（たとえば、移動局１０２および／または１つまたは複数の他のデバイス１０６）において全体的にまたは部分的に使用する例示的なプロセスまたは方法４００のいくつかの特徴を示す流れ図である。
【００５１】
[0055]  例示的なブロック４０２において、少なくとも受信信号強度測定値２２２と伝搬時間測定値２２４とを備える、送信デバイス１１０についてのシグナリング特性２２０が取得され得る。いくつかの例示的な実装形態では、ブロック４０２において、受信信号強度測定値および／または伝搬時間測定値は何らかの方法で調整され、および／または、たとえば、測定コンバーター機能２３４などを使用して共有測定単位（a shared unit of measure）に変換され得る。
【００５２】
[0056]  例示的なブロック４０４において、受信信号強度測定値２２２と伝搬時間測定値２２４とに少なくとも部分的に基づいて、移動局が測位機能２２８において送信デバイス１１０についての測位データ２２６を使用すべきかどうかが判断され得る。たとえば、いくつかの事例では、ブロック４０６において、受信信号強度測定値が伝搬時間測定値と比較され得る。たとえば、いくつかの事例では、ブロック４０８において、測定比２３２が取得され、許容測定比、たとえば、測定基準２３０によって表される１つまたは複数のしきい値と比較され得る。たとえば、いくつかの事例では、ブロック４１０において、受信信号強度測定値２２２が許容強度測定値しきい値、たとえば、測定基準２３０によって表される１つまたは複数のしきい値と比較され得る。たとえば、いくつかの事例では、ブロック４１２において、伝搬時間測定値２２４が許容時間測定値しきい値、たとえば、測定基準２３０によって表される１つまたは複数のしきい値と比較され得る。いくつかの例示的な実装形態では、ブロック４１４に示されるように、ブロック４０４において行われる判断はさらに、たとえば、少なくとも１つの他の受信デバイスによって送信デバイスから受信された（たとえば、様々な移動局、アクセスポイントなどを使用して収集された）１つまたは複数の他の信号についての少なくとも１つの追加のシグナリング特性を考慮し得る。
【００５３】
[0057]  例示的なブロック４１６において、移動局１０２が送信デバイス１１０についての測位データ２２６を使用すべきであるという判断に応答して、送信デバイスについての測位データが取得され、測位データの少なくとも一部分が少なくとも１つの測位機能に与えられ得る。いくつかの例示的な実装形態では、ブロック４１６において、移動局１０２は、選択された送信デバイスから１つまたは複数の信号を受信する。次いで、そのような（１つまたは複数の）受信した信号は、たとえば、移動局１０２において、および／または１つまたは複数の他のデバイス１０６において測位データ２２６を確立するために使用され得る。次いで、得られた測位データ２２６の少なくとも一部分は、たとえば、移動局１０２における、および／または１つまたは複数の他のデバイス１０６における少なくとも１つの測位機能に与えられ得る。
【００５４】
[0058]  例示的なブロック４１８において、測位データに少なくとも部分的に基づいて、移動局１０２の推定ロケーションを判断するために少なくとも１つの測位機能が使用され得る。たとえば、移動局と送信デバイスとの間の推定レンジ、座標系に関する移動局の推定ロケーション、構造物内の１つまたは複数の屋内領域に関する移動局の推定ロケーションなどのうちの１つまたは複数を判断するために、（たとえば、移動局１０２における、および／または１つまたは複数の他のデバイス１０６における）少なくとも１つの測位機能が使用され得る。
【００５５】
[0059]  いくつかの例示的な実装形態では、ブロック４２０に示すように、シグナリング特性２２０のうちの少なくとも１つに少なくとも部分的に基づいて、たとえば、構造物１３０の少なくとも一部分についての少なくとも１つの電子マップ３２０は影響を及ぼされ得る。たとえば、ブロック４２０において、（たとえば、ブロック４０２、４１６からの）送信デバイスについての１つまたは複数のシグナリング特性に少なくとも部分的に基づいて、および／または、場合によっては、ブロック４０４からの決定に基づいて、信号ベースのヒートマップ、減衰マップ、信号受信モデル、および／または同様なものまたはそれらの組合せは何らかの方法で影響を及ぼされ得る。たとえば、１つまたは複数のシグナリング特性に基づいて、マップまたはモデル中で維持される、特定の送信機の信号、既知または推定ロケーション、識別子、スケジュールなどに関する情報は影響を及ぼされ得る。たとえば、ブロック４２０において、信頼できると見なされる、信頼できないと見なされる、および／または何らかの方法で分類され得る、送信デバイスのリストは影響を及ぼされ得る。いくつかの事例では、１つまたは複数のシグナリング特性に基づいて、マップまたはモデル中で維持される、構造物１３０、領域１３２、またはその中の他の物体に関する情報は影響を及ぼされ得る。たとえば、そのようなマップまたはモデル中で維持される、構造物１３０、領域１３２、またはその中の他の物体に関する情報に少なくとも部分的に基づいて、特定の測位機能を選択する際に、および／または測位機能内で使用され得るいくつかのパラメータを設定する際に、有用であり得る、ある情報が維持され得る。
【００５６】
[0060]  次に図５および図６を参照すると、受信デバイスが、ある構造物の１つの領域内に位置し、様々な送信デバイスから信号を受信し得、いくつかの送信デバイスが、測位機能とともに使用するために選択されるかまたは拒否され得る、例示的な環境に関する、本明細書で提供する技法のいくつかの態様がさらに示されている。
【００５７】
[0061]  図５は、第２のフロア（a second floor）５２０とそのすぐ下の第１のフロア（a first floor）５１０として示される少なくとも２つの領域をその中に備える、構造物５００の一部分の断面図を提示する。より詳細には、第１のフロア５１０は水平床支持体（a horizontal floor support）５０２−１と水平床支持体５０２−２との間にあり、第２のフロア５２０は水平床支持体５０２−２と水平床支持体５０２−３との間にある。また、この例には、第１のフロア５１０を再分割する垂直内壁（a vertical interior wall）５０４が示されている。さらに、複数の送信デバイス１１０が示されている。送信デバイス１１０−１は、第１のフロア５１０内に位置する移動局１０２のほぼ頭上で、第２のフロア５２０に位置するものとして示されている。図５に見られるように、送信デバイス１１０−２および１１０−３は、第１のフロア５１０内の移動局１０２の右側にあり、送信デバイス１１０−２は、移動局１０２と送信デバイス１１０−３との間のほぼ中間にある。さらに、図５に見られるように、送信デバイス１１０−４は第１のフロア５１０内の移動局１０２の左側にあり、移動局１０２と送信デバイス１１０−４との間に内壁５０４が位置する。したがって、この例示的な環境および配置を仮定すれば、さらに示すように、送信デバイス１１０−１および１１０−４によって送信された信号は、それぞれ、（１つまたは複数の）様々な非大気材料（various non-atmospheric material(s)）、すなわち、水平床支持体５０２−２および内壁５０４を通って伝搬し得る。それとは反対に、送信デバイス１１０−２および１１０−３からの信号は、他のいかなる妨害物体（たとえば、吸収、散乱、反射するか、またはさもなければ実質的に信号伝搬に大幅に影響を及ぼす、物体または表面）もないことを仮定して、大部分が大気材料を通って移動局１０２に伝搬することが予想され得る。
【００５８】
[0062]  異なるロケーションおよび対応する送信経路に照らして、図５に示す様々な信号のいくつかの信号特性は著しく変動し得る。たとえば、予想されるように、ＲＳＳＩあるいは対応するかまたは他の同様の受信信号強度測定値は、送信デバイスと受信デバイスとの間のレンジ（距離）が増加するにつれて、予測どおりに減少し得る。同様に、予想されるように、ＲＴＴあるいは対応するかまたは他の同様の伝搬時間測定値も、そのようなレンジが増加するにつれて、予測可能な様式で増加し得る。しかしながら、物理的障害物（または他の同様の、信号に影響を及ぼす物体）の存在が、ＲＳＳＩおよび／またはＲＴＴなどにさらに影響を及ぼすように信号をさらに減衰させ／阻止するか、遅延させるか、または他の方法で影響を及ぼし（attenuate/block, delay, or otherwise affect）得る。したがって、たとえば、送信デバイスと受信デバイスとの間の推定レンジの指示としての、いくつかの信号特性の精度および／または信頼性が減少し得る。
【００５９】
[0063]  したがって、たとえば、送信デバイスと受信デバイスとの間にそのような例示的な障害物／物体がなければ、いくつかの信号特性は、送信機と受信機との間のレンジを推定する際により正確に有用であるように使用され得る。障害物／物体の存在は、そのような経路で送信された信号を減衰させ、したがって、レンジのインジケータとしてのＲＳＳＩの精度に影響を及ぼし得るが、そのような障害物は、観測されたＲＴＴまたは他の同様の伝搬時間にはある程度まで影響を及ぼさない（not measurably affect）ことがあり得る。
【００６０】
[0064]  したがって、特定の例示的な一実装形態では、送信デバイスによって送信され、受信デバイスにおいて受信される１つまたは複数の信号についての受信信号強度測定値と伝搬時間測定値とは、たとえば、受信信号強度測定値と伝搬時間測定値とが同じレンジ（距離）を示すのか異なるレンジ（距離）を示すのかを判断するために比較されるかまたは他の方法で考慮され得る。不整合が検出され得、たとえば、受信信号強度測定値に基づいて推定されたレンジが、対応する伝搬時間測定値に基づくレンジよりも著しく大きい場合、信号経路が何らかの形で著しく妨害された可能性があると推定され得る。
【００６１】
[0065]  簡略化された例として、次に図６に注目すると、図６は、一実装形態による、たとえば、図５のような構造物内の異なるロケーションに位置する様々な送信デバイスから移動局によって受信された信号についてのいくつかの例示的なシグナリング特性に関するいくつかの観測を示す簡略化されたグラフ６００である。グラフ６００は、本明細書で提示するすべての例の場合と同様に、請求する主題を限定するものではない。ここで、グラフ６００は、いくつかの状況では、異なる送信デバイスについてのいくつかのシグナリング特性間に認識可能な差があり得ることと、したがって、１つまたは複数の測位機能に関して、いくつかの送信機を使用または排除するように選択することが可能であり得ることとを示すものにすぎない。
【００６２】
[0066]  このことを念頭に置いて、グラフ６００では、垂直軸は−１００ｎｓ〜＋６００ｎｓのＲＴＴを表し、水平軸は−９０ｄＢｍから−２０ｄＢｍのＲＳＳＩを表す。この例では、第１の楕円形６０２は、ＲＴＴおよびＲＳＳＩのプロットされた値の大部分が、受信デバイスと同じ階に共設された送信デバイスから受信された信号についての値である、グラフ６００内のエリアを表す。図示のように、この例では、第２の楕円形６０４は、ＲＴＴおよびＲＳＳＩのプロットされた値の大部分が、受信デバイスの真上の階に位置する送信デバイスから受信された信号についての値である、グラフ６００内のエリアを表す。ただし、グラフ６００には示されていないが、図示された楕円形のいずれの内にも入らない、送信デバイスについてのいくつかのプロットされた値があり得ることに留意されたい。さらに、楕円形は、重複エリアまたは重複しないエリアのいずれにおいても相互排他的（mutually exclusive）であることを意図していない。代わりに、グラフ６００全体にわたって、両方の階にある送信デバイスからの信号の測定値のプロットされた値の分布があり得る。とはいえ、いくつかの事例では、第１および第２の楕円形の簡略化された形状でここで識別される、識別可能なエリアを占有するか、またはそのエリア内でクラスタリングし得るプロットのグルーピングまたはパターンがあるように見え得る。
【００６３】
[0067]  この単純な例に示すように、第１の楕円形６０２は、より高いＲＴＴ値とより低いＲＳＳＩ値とを示すプロットされた値から、より低いＲＴＴ値とより高いＲＳＳＩ値とを示すプロットされた値へ、下向きに傾斜した方向においてより水平に延在するように見える。第２の楕円形６０４は、この例では、プロットされた値が、より低い値からより高い値までの様々なＲＴＴ値と、大部分がより低いＲＳＳＩ値とを有することの結果として、より垂直方向であり、第１の楕円形６０２よりもいくぶん緊密にクラスタリングされている。
【００６４】
[0068]  したがって、本明細書で提示するいくつかの技法によれば、受信信号強度測定値と伝搬時間測定値との比較に少なくとも部分的に基づいて、移動局が測位機能において送信デバイスについての測位データを使用し得るのか使用し得ないのかが判断され得る。たとえば、何らかの方法で送信機を分類するために、（たとえば、１つまたは複数のしきい値に基づくなど）１つまたは複数の許容測定比が、受信信号強度測定値対伝搬時間測定値の比またはその逆の比と比較され得る。たとえば、そのような比較は、受信デバイスと同じまたはそれとは異なる階（領域）にあるものとして送信機を分類し得る。たとえば、そのような比較は、１つまたは複数の測位機能において使用するためにより信頼できるかまたはあまり信頼できないと推定されるものとして送信デバイスを分類し得る。
【００６５】
[0069]  同様に、個々のシグナリング特性が適用可能なしきい値と比較され得る。たとえば、受信信号強度測定値は許容強度測定値しきい値と比較され得る。許容強度測定値しきい値の非限定的な例は、約−７５ｄＢｍに対応する線６０６によってグラフ６００に示されている。したがって、第１の楕円形６０２および第２の楕円形６０４によって表されるプロットのクラスタリングに関して、移動局と同じ階にある送信デバイスからの信号についてのＲＳＳＩ値の多くは、例示的なしきい値よりも大きいＲＳＳＩ値を有し、したがって第１の楕円形６０２内に入り得るが、頭上の階にある送信デバイスからの信号についてのＲＳＳＩ値の多くは、例示的なしきい値よりも小さく、したがって第２の楕円形６０４内に入り得ることがわかり得る。したがって、送信デバイスは、少なくとも部分的に、１つまたは複数の許容強度測定値しきい値に基づいてカテゴリー分類され得る。
【００６６】
[0070]  別の例では、伝搬時間測定値が許容時間測定値しきい値と比較され得る。許容時間測定値しきい値の非限定的な例は、約＋２００ｎｓに対応する線６０８によってグラフ６００に示されている。したがって、第１の楕円形６０２および第２の楕円形６０４によって表されるプロットのクラスタリングに関して、移動局と同じ階にある送信機から戻された信号のＲＴＴ値の多くは、例示的なしきい値よりも大きいＲＴＴ値を有し、したがって第１の楕円形６０２内に入り得るが、頭上の階にある送信機から戻された信号のＲＳＳＩ値の多くは、例示的なしきい値よりも小さく、したがって第２の楕円形６０４内に入り得ることがわかり得る。さらに、負値であるＲＴＴを間違って示す信号は削除されるかまたは考慮されないことがあることに留意されたい。
【００６７】
[0071]  さらなる例として、グラフ６００に示すように、例示的なしきい値は、プロットされた値を２つ以上の種別に分割するために使用され得る（ここでは、たとえば、線６０６および６０８はグラフ６００中のエリアを４つの象限に分割する）。したがって、いくつかの事例では、いくつかの種別から送信機を単に選択／拒否すること、または様々な比較から生じるそのような種別に基づいて何らかの優先度方式を実装することが可能であり得る。
【００６８】
[0072]  いくつかの例示的な実装形態では、１つまたは複数のしきい値は、あらかじめ判断されるかまたは動的に判断され得る。たとえば、しきい値は、初めにより限定的な値に設定され得、場合によってはその後、あまり限定的でなくなるように緩和されるか、またはさもなければ影響を及ぼされ得る。たとえば、しきい値は、特定の推定ロケーション、いくつかの履歴または学習されたファクタ、日付または時間、（たとえば、送信デバイスおよび／または受信デバイスの）動作モード、選択されたシグナリングモデル、電子マップなどに少なくとも部分的に基づいて、設定されるかまたは何らかの方法で影響を及ぼされ得る。
【００６９】
[0073]  図５中の例に手短に戻り、グラフ６００を使用すると、いくつかの事例では、送信デバイス１１０−１および送信デバイス１１０−４は、移動局１０２に対するそれらの近接度を仮定すれば、比較的速いＲＴＴ値に関係し得るので、またそれらは、それぞれの信号が通過する床障害物および壁障害物を仮定すれば、比較的より低いＲＳＳＩ値を有し得るので、送信デバイス１１０−１および送信デバイス１１０−４についてのシグナリング特性は第２の楕円形６０４のより近くまたはその内に入り得ることがあり得る。それとは反対に、および比較して、いくつかの事例では、送信デバイス１１０−２および送信デバイス１１０−３は、移動局１０２からのそれぞれの距離を仮定すれば、異なるＲＴＴ値を有し得、それらのＲＴＴ値は、送信デバイス１１０−１および１１０−４についてのＲＴＴ値と同様でさえあり得るが、送信デバイス１１０−２および送信デバイス１１０−３についてのシグナリング特性は第１の楕円形６０２のより近くかまたはその内に入り得ることがあり得る。ここで、たとえば、送信デバイス１１０−２および１１０−３のＲＳＳＩ値は、信号が通過する障害物がないことを仮定すれば、比較的より高いＲＳＳＩであり得、したがって、送信デバイス１１０−２および送信デバイス１１０−３についてのシグナリング特性は第１の楕円形６０２のより近くかまたはその内に入り得る。したがって、たとえば、いくつかの測位機能を実行するとき、送信デバイス１１０−２および１１０−３から受信した信号から取得された測位データを選択的に使用すること、ならびに／あるいは送信デバイス１１０−１および／または送信デバイス１１０−４から受信した信号から取得された測位データの使用を拒否または回避することが有益であり得る。
【００７０】
[0074]  したがって、いくつかのさらなる例示的な実装形態では、受信信号強度測定値と伝搬時間測定値との間に不整合（たとえば、矛盾する距離、しきい値の上または下にある１つまたは複数の値など）がある場合、適切な手順がとられ得る。一実装形態では、受信信号強度測定値と伝搬時間測定値との間の検出された不整合は、適用可能な送信デバイスと受信デバイスとが異なる階にあるという推論につながり得る。別の実装形態では、受信信号強度測定値と伝搬時間測定値との比較に基づいて、（たとえば、測位機能において使用される）特定のレンジングモデルが選択され、および／または、場合によっては何らかの方法で影響を及ぼされ得る。ここで、受信信号強度測定値が、伝搬時間測定値によって示されるレンジよりも著しく長いレンジを示す場合、受信信号強度測定値に基づいて、送信機までのレンジを取得する際に、異なる減衰モデルが選択／適用され得る。また別の実装形態では、たとえば、十分な数の「信頼できる」送信デバイスについての測位データが利用可能であると仮定して、移動局のロケーションを推定する際に使用する、関連する送信デバイスによって送信された信号を除外するために、検出された不整合が使用され得る。
【００７１】
[0075]  別の特定の実装形態では、様々なシグナリング測定値が、（たとえば、クラウドソーシング技法を使用して）いくつかの受信デバイスから取得され、他の、場合によってはＲＴＴ対応でない（non-RTT enabled）モバイルデバイスなどによって使用され得る（または使用され得ない）送信デバイスを識別するために使用され得る。ここで、たとえば、特定の送信デバイスからの信号のＲＳＳＩベースの受信信号強度測定値とＲＴＴベースの伝搬時間測定値とが電子マップなど中のロケーションと相関され（correlated with）得、それらは、次いで、他の可能性のある（likely）受信デバイスに与えられ得る。したがって、たとえば、ＲＴＴ対応でないことがある受信デバイスが、適用可能な構造物または領域にまたはその近くにある場合、その受信デバイスは、いくつかの信号および／または測位データ（たとえば、ＲＳＳＩ測定値）を（たとえば、電子マップなどに少なくとも部分的に基づいて）選択的に無視するか、または場合によっては、異なる減衰モデルなどを適用し得る。たとえば、特定のロケーションにおいてまたはその近くで、ＲＳＳＩレンジング（RSSI ranging）などのためにどの送信デバイスが有用であり得、どの送信デバイスが有用でないことがあるかをより迅速に正確に判断するために、たとえば、サーバおよび／または他の同様のリソースをトレーニングして、ＲＳＳＩ／ＲＴＴまたは他の同様の信号特性関係をより良く特徴づけるために、クラウドソースの情報（Crowd-sourced information）なども使用され得る。
【００７２】
[0076]  いくつかの例示的な実装形態では、クラウドソースまたは他の同様の収集された信号特性は、たとえば、所与の構造物の特性をより良く適合させるために、いくつかのしきい値、モデルなどをさらにチューニングするために様々なデバイスから集められ得る。そのような情報はまた、いくつかのＲＴＴ対応でないモバイルデバイスが、１つまたは複数の測位機能においてどの送信デバイスを使用すべきかをより知的に選択または拒否することを可能にし得る。たとえば、前述のように、電子マップまたは他の同様の情報が維持および共有され得て、それらは、いくつかのロケーション、構造物、領域などにおけるまたはその近くの「信頼できる」または「信頼できない」送信デバイスを少なくとも部分的に示し得る。いくつかのさらなる事例では、また、新たに設置された送信デバイスの存在を正確で迅速に判断することが可能であり得る。たとえば、いくつかの事例では、別の知られている送信デバイスとの、観測されたＲＳＳＩおよびＲＴＴ測定値の強い相関を示す新しい送信デバイスが観測された場合、新しい送信デバイスは特定のロケーション、領域など中にまたはその近くにあり得ると判断され得る。
【００７３】
[0077]  本明細書全体にわたる「一例」、「例」、「いくつかの例」、または「例示的な実装形態」という言及は、特徴および／または例に関して説明する特定の特徴、構造、または特性が、請求する主題の少なくとも１つの特徴および／または例の中に含まれ得ることを意味する。したがって、本明細書全体にわたる様々な場所における「一例では」、「例」、「いくつかの例では」もしくは「いくつかの実装形態では」という句、または他の同様の句の出現は、必ずしもすべてが同じ特徴、例、および／または限定を指すとは限らない。さらに、それらの特定の特徴、構造、または特性は、１つまたは複数の例および／または特徴において組み合わせられ得る。
【００７４】
[0078]  本明細書で説明した方法は、特定の特徴および／または例に従って適用例に応じて様々な手段によって実装され得る。たとえば、そのような方法は、ソフトウェアとともに、ハードウェア、ファームウェア、および／またはそれらの組合せで実装され得る。ハードウェア実装の場合、たとえば、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他のデバイスユニット、および／またはそれらの組合せの中で実装され得る。
【００７５】
[0079]  上記の詳細な説明では、請求する主題の完全な理解を与えるために多数の具体的な詳細を記載した。ただし、請求する主題は、これらの具体的な詳細なしに実施され得ることが当業者には理解されよう。他の事例では、請求する主題を不明瞭にしないように、当業者に知られているであろう方法および装置については詳細に説明していない。
【００７６】
[0080]  上記の詳細な説明のいくつかの部分は、特定の装置または専用コンピューティングデバイスまたはプラットフォームのメモリ内に記憶された２値デジタル電子信号に対する演算のアルゴリズムまたは記号表現に関して提示した。この特定の明細書のコンテキストでは、特定の装置などの用語は、ひとたび汎用コンピュータがプログラムソフトウェアからの命令に従って特定の機能を実行するようにプログラムされれば、その汎用コンピュータを含む。アルゴリズムの説明または記号表現は、信号処理または関連技術の当業者の仕事の本質を他の当業者に伝達するために、その信号処理または関連技術の当業者によって使用される技法の例である。アルゴリズムは、本明細書では、また一般に、所望の結果につながる自己矛盾のない一連の演算または同様の信号処理であると考えられる。このコンテキストでは、演算または処理は物理量の物理的操作を伴う。一般に、必ずしも必要ではないが、電子信号は情報を表すので、そのような量は、記憶、転送、結合、比較、または他の方法で操作されることが可能な電気信号または磁気信号の形態をとり得る。主に一般的な用法という理由で、そのような信号をビット、データ、値、要素、記号、文字、項、数、数字、情報などと呼ぶことは時々便利であることがわかっている。ただし、これらまたは同様の用語はすべて、適切な物理量に関連すべきものであり、便利なラベルにすぎないことを理解されたい。別段に明記されていない限り、以下の説明から明らかなように、本明細書全体にわたって、「処理する」、「算出する」、「計算する」、「判定する」、「確立する」、「取得する」、「識別する」、「維持する」などの用語を利用する説明は、専用コンピュータまたは同様の専用電子コンピューティングデバイスなど、特定の装置の動作またはプロセスを指すことを諒解されたい。したがって、本明細書のコンテキストでは、専用コンピュータまたは同様の専用電子コンピューティングデバイスは、専用コンピュータまたは同様の専用電子コンピューティングデバイスのメモリ、レジスタ、または他の情報記憶デバイス、送信デバイス、またはディスプレイデバイス内の、電子的または磁気的な物理量として一般に表される信号を操作または変換することが可能である。この特定の特許出願のコンテキストでは、「特定の装置」という用語は、ひとたび汎用コンピュータがプログラムソフトウェアからの命令に従って特定の機能を実行するようにプログラムされれば、その汎用コンピュータを含み得る。
【００７７】
[0081]  本明細書で使用する「および」、「または」、および「および／または」という用語は、そのような用語が使用されるコンテキストに少なくとも部分的に依存することも予想される様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。さらに、本明細書で使用する「１つまたは複数」という用語は、単数形の任意の特徴、構造、もしくは特性について説明するために使用され得るか、または複数の特徴、構造、もしくは特性、または特徴、構造、もしくは特性の何らかの他の組合せについて説明するために使用され得る。ただし、これは単に例示的な例にすぎないこと、および請求する主題がこの例に限定されないことに留意されたい。
【００７８】
[0082]  現在例示的な特徴と考えられることについて例示し説明したが、請求する主題から逸脱することなく、様々な他の変更が行われ得、等価物が代用され得ることが、当業者には理解されよう。さらに、本明細書で説明した中心概念から逸脱することなく、請求する主題の教示に特定の状況を適応させるために多くの変更が行われ得る。
【００７９】
[0083]  したがって、請求する主題は、開示された特定の例に限定されず、そのような請求する主題はまた、添付の特許請求の範囲内に入るすべての態様とそれらの等価物とを含み得るものとする。
なお、本願の出願当初の請求項と同一の記載を以下に付記する。
［Ｃ１］ 少なくとも１つのコンピューティングプラットフォームを用いて、
送信デバイスについてのシグナリング特性を取得することであって、前記シグナリング特性が、前記送信デバイスから受信デバイスによって受信された１つまたは複数の信号に少なくとも部分的に基づき、少なくとも受信信号強度測定値と伝搬時間測定値とを備える、取得することと、
前記受信信号強度測定値と前記伝搬時間測定値とに少なくとも部分的に基づいて、移動局が測位機能において前記送信デバイスについての測位データを使用すべきかどうかを判断することと
を備える方法。
［Ｃ２］ 前記移動局が前記測位機能において前記送信デバイスについての前記測位データを使用すべきかどうかを判断することが、
前記受信信号強度測定値を前記伝搬時間測定値と比較すること
をさらに備える、Ｃ１に記載の方法。
［Ｃ３］ 前記移動局が前記測位機能において前記送信デバイスについての前記測位データを使用すべきかどうかを判断することが、
少なくとも１つの測定基準に少なくとも部分的に基づいて、前記移動局が前記測位機能において前記送信デバイスについての前記測位データを使用すべきかどうかを判断すること
をさらに備える、Ｃ１に記載の方法。
［Ｃ４］ 前記少なくとも１つの測定基準が許容測定比を備え、前記移動局が前記測位機能において前記送信デバイスについての前記測位データを使用すべきかどうかを判断することが、
前記受信信号強度測定値と前記伝搬時間測定値とに少なくとも部分的に基づく測定比を取得することと、
前記測定比を前記許容測定比と比較することと
をさらに備える、Ｃ３に記載の方法。
［Ｃ５］ 前記少なくとも１つの測定基準が許容強度測定値しきい値または許容時間測定値しきい値のうちの少なくとも１つを備え、
前記移動局が前記測位機能において前記送信デバイスについての前記測位データを使用すべきかどうかを判断することが、
前記受信信号強度測定値を前記許容強度測定値しきい値と比較すること、または
前記伝搬時間測定値を前記許容時間測定値しきい値と比較すること
のうちの少なくとも１つをさらに備える、Ｃ３に記載の方法。
［Ｃ６］ 前記受信信号強度測定値および／または前記伝搬時間測定値のうちの少なくとも１つを特定の測定単位に変換すること
をさらに備える、Ｃ１に記載の方法。
［Ｃ７］ 前記少なくとも１つのコンピューティングプラットフォームを用いて、
前記移動局が前記測位機能において前記送信デバイスについての前記測位データを使用すべきであると判断したことに応答して、前記送信デバイスについての前記測位データを取得することと、前記測位データを前記測位機能に与えることと
をさらに備える、Ｃ１に記載の方法。
［Ｃ８］ 前記移動局が前記少なくとも１つのコンピューティングプラットフォームを備え、前記方法が、前記少なくとも１つのコンピューティングプラットフォームを用いて、
前記測位データに少なくとも部分的に基づいて、前記移動局と前記送信デバイスとの間の推定レンジ、または座標系に関する前記移動局の推定ロケーション、または構造物内の１つまたは複数の屋内領域に関する前記移動局の推定ロケーションのうちの少なくとも１つを判断するために前記測位機能を使用すること
をさらに備える、Ｃ７に記載の方法。
［Ｃ９］ 前記少なくとも１つのコンピューティングプラットフォームを用いて、
少なくとも１つの他の受信デバイスによって前記送信デバイスから受信された１つまたは複数の他の信号についての少なくとも１つの追加のシグナリング特性を取得することをさらに備え、前記移動局が前記測位機能において前記送信デバイスについての前記測位データを使用すべきかどうかを判断することが、前記少なくとも１つの追加のシグナリング特性にさらに少なくとも部分的に基づく、Ｃ１に記載の方法。
［Ｃ１０］ 前記少なくとも１つのコンピューティングプラットフォームを用いて、
前記送信デバイスについての前記シグナリング特性のうちの少なくとも１つに少なくとも部分的に基づいて、構造物についての少なくとも１つの電子マップに影響を及ぼすことをさらに備える、Ｃ１に記載の方法。
［Ｃ１１］ 前記移動局が前記受信デバイスまたは前記少なくとも１つのコンピューティングプラットフォームのうちの少なくとも１つを備える、Ｃ１に記載の方法。
［Ｃ１２］ 少なくとも１つのコンピューティングプラットフォームにおいて使用する装置であって、
送信デバイスについてのシグナリング特性を取得するための手段であって、前記シグナリング特性が、前記送信デバイスから受信デバイスによって受信された１つまたは複数の信号に少なくとも部分的に基づき、少なくとも受信信号強度測定値と伝搬時間測定値とを備える、取得するための手段と、
前記受信信号強度測定値と前記伝搬時間測定値とに少なくとも部分的に基づいて、移動局が測位機能において前記送信デバイスについての測位データを使用すべきかどうかを判断するための手段と
を備える、装置。
［Ｃ１３］ 前記移動局が前記測位機能において前記送信デバイスについての前記測位データを使用すべきかどうかを判断するための前記手段が、
前記受信信号強度測定値を前記伝搬時間測定値と比較するための手段
をさらに備える、Ｃ１２に記載の装置。
［Ｃ１４］ 前記移動局が前記測位機能において前記送信デバイスについての前記測位データを使用すべきかどうかを判断するための前記手段が、少なくとも１つの測定基準にさらに少なくとも部分的に基づく、Ｃ１２に記載の装置。
［Ｃ１５］ 前記少なくとも１つの測定基準が許容測定比を備え、
前記移動局が前記測位機能において前記送信デバイスについての前記測位データを使用すべきかどうかを判断するための前記手段が、
前記受信信号強度測定値と前記伝搬時間測定値とに少なくとも部分的に基づく測定比を取得するための手段と、
前記測定比を前記許容測定比と比較するための手段と
をさらに備える、Ｃ１４に記載の装置。
［Ｃ１６］ 前記少なくとも１つの測定基準が許容強度測定値しきい値または許容時間測定値しきい値のうちの少なくとも１つを備え、
前記移動局が前記測位機能において前記送信デバイスについての前記測位データを使用すべきかどうかを判断するための前記手段が、
前記受信信号強度測定値を前記許容強度測定値しきい値と比較するための手段、または
前記伝搬時間測定値を前記許容時間測定値しきい値と比較するための手段
のうちの少なくとも１つをさらに備える、Ｃ１４に記載の装置。
［Ｃ１７］ 前記受信信号強度測定値および／または前記伝搬時間測定値のうちの少なくとも１つを特定の測定単位に変換するための手段
をさらに備える、Ｃ１２に記載の装置。
［Ｃ１８］ 少なくとも１つの他の受信デバイスによって前記送信デバイスから受信された１つまたは複数の他の信号についての少なくとも１つの追加のシグナリング特性を取得するための手段をさらに備え、
前記移動局が前記測位機能において前記送信デバイスについての前記測位データを使用すべきかどうかを判断するための前記手段が、前記少なくとも１つの追加のシグナリング特性にさらに少なくとも部分的に基づく、Ｃ１２に記載の装置。
［Ｃ１９］ 前記送信デバイスについての前記シグナリング特性のうちの少なくとも１つに少なくとも部分的に基づいて、構造物についての少なくとも１つの電子マップに影響を及ぼすための手段
をさらに備える、Ｃ１２に記載の装置。
［Ｃ２０］ 前記移動局が前記受信デバイスまたは前記少なくとも１つのコンピューティングプラットフォームのうちの少なくとも１つを備える、Ｃ１２に記載の装置。
［Ｃ２１］ ネットワークインターフェースと、
前記ネットワークインターフェースを介して、送信デバイスについてのシグナリング特性を取得することであって、前記シグナリング特性が、前記送信デバイスから受信デバイスによって受信された１つまたは複数の信号に少なくとも部分的に基づき、少なくとも受信信号強度測定値と伝搬時間測定値とを備える、取得することと、
前記受信信号強度測定値と前記伝搬時間測定値とに少なくとも部分的に基づいて、移動局が測位機能において前記送信デバイスについての測位データを使用すべきかどうかを判断することと
を行うための処理ユニットと
を備える装置。
［Ｃ２２］ 前記処理ユニットは、前記受信信号強度測定値と前記伝搬時間測定値との比較にさらに少なくとも部分的に基づいて、前記移動局が前記測位機能において前記送信デバイスについての前記測位データを使用すべきかどうかを判断する、Ｃ２１に記載の装置。
［Ｃ２３］ 前記処理ユニットは、少なくとも１つの測定基準にさらに少なくとも部分的に基づいて、前記移動局が前記測位機能において前記送信デバイスについての前記測位データを使用すべきかどうかを判断する、Ｃ２１に記載の装置。
［Ｃ２４］ 前記少なくとも１つの測定基準が許容測定比を備え、
前記処理ユニットは、測定比と前記許容測定比との比較にさらに少なくとも部分的に基づいて、前記移動局が前記測位機能において前記送信デバイスについての前記測位データを使用すべきかどうかを判断し、前記測定比が、前記受信信号強度測定値と前記伝搬時間測定値とに少なくとも部分的に基づく、Ｃ２３に記載の装置。
［Ｃ２５］ 前記少なくとも１つの測定基準が許容強度測定値しきい値または許容時間測定値しきい値のうちの少なくとも１つを備え、
前記処理ユニットは、
前記受信信号強度測定値と前記許容強度測定値しきい値との第１の比較、または
前記伝搬時間測定値と前記許容時間測定値しきい値との第２の比較
のうちの少なくとも１つにさらに少なくとも部分的に基づいて、前記移動局が前記測位機能において前記送信デバイスについての前記測位データを使用すべきかどうかを判断する、Ｃ２３に記載の装置。
［Ｃ２６］ 前記処理ユニットが、前記受信信号強度測定値および／または前記伝搬時間測定値のうちの少なくとも１つを特定の測定単位に変換する、Ｃ２１に記載の装置。
［Ｃ２７］ 前記処理ユニットは、前記ネットワークインターフェースを介して、少なくとも１つの他の受信デバイスによって前記送信デバイスから受信され取得された１つまたは複数の他の信号についての少なくとも１つの追加のシグナリング特性にさらに少なくとも部分的に基づいて、前記移動局が前記測位機能において前記送信デバイスについての前記測位データを使用すべきかどうかを判断する、Ｃ２１に記載の装置。
［Ｃ２８］ 前記処理ユニットが、
前記送信デバイスについての前記シグナリング特性のうちの少なくとも１つに少なくとも部分的に基づいて、構造物についての少なくとも１つの電子マップに影響を及ぼすことをさらに行う、Ｃ２１に記載の装置。
［Ｃ２９］ 前記装置が前記移動局または前記受信デバイスのうちの少なくとも１つを備える、Ｃ２１に記載の装置。
［Ｃ３０］ 前記処理ユニットが、
前記測位データに少なくとも部分的に基づいて、前記移動局と前記送信デバイスとの間の推定レンジ、または座標系に関する前記移動局の推定ロケーション、または構造物内の１つまたは複数の屋内領域に関する前記移動局の推定ロケーションのうちの少なくとも１つを判断するために前記測位機能の少なくとも一部分を実行すること
をさらに行う、Ｃ２９に記載の装置。
［Ｃ３１］ 送信デバイスについてのシグナリング特性を取得することであって、前記シグナリング特性が、前記送信デバイスから受信デバイスによって受信された１つまたは複数の信号に少なくとも部分的に基づき、少なくとも受信信号強度測定値と伝搬時間測定値とを備える、取得することと、
前記受信信号強度測定値と前記伝搬時間測定値とに少なくとも部分的に基づいて、移動局が測位機能において前記送信デバイスについての測位データを使用すべきかどうかを判断することと
を行うように専用コンピューティングプラットフォームによって実行可能であるコンピュータ実装可能命令を記憶した非一時的コンピュータ可読媒体
を備える物品。
［Ｃ３２］ 前記コンピュータ実装可能命令は、
前記受信信号強度測定値と前記伝搬時間測定値との比較にさらに少なくとも部分的に基づいて、前記移動局が前記測位機能において前記送信デバイスについての前記測位データを使用すべきかどうかを判断すること
を行うように前記専用コンピューティングプラットフォームによってさらに実行可能である、Ｃ３１に記載の物品。
［Ｃ３３］ 前記コンピュータ実装可能命令は、
少なくとも１つの測定基準にさらに少なくとも部分的に基づいて、前記移動局が前記測位機能において前記送信デバイスについての前記測位データを使用すべきかどうかを判断すること
を行うように前記専用コンピューティングプラットフォームによってさらに実行可能である、Ｃ３１に記載の物品。
［Ｃ３４］ 前記少なくとも１つの測定基準が許容測定比を備え、
前記コンピュータ実装可能命令は、測定比と前記許容測定比との比較にさらに少なくとも部分的に基づいて、前記移動局が前記測位機能において前記送信デバイスについての前記測位データを使用すべきかどうかを判断するように前記専用コンピューティングプラットフォームによってさらに実行可能であり、前記測定比が、前記受信信号強度測定値と前記伝搬時間測定値とに少なくとも部分的に基づく、Ｃ３３に記載の物品。
［Ｃ３５］ 前記少なくとも１つの測定基準が許容強度測定値しきい値または許容時間測定値しきい値のうちの少なくとも１つを備え、
前記コンピュータ実装可能命令は、
前記受信信号強度測定値と前記許容強度測定値しきい値との第１の比較、または
前記伝搬時間測定値と前記許容時間測定値しきい値との第２の比較
のうちの少なくとも１つにさらに少なくとも部分的に基づいて、前記移動局が前記測位機能において前記送信デバイスについての前記測位データを使用すべきかどうかを判断するように前記専用コンピューティングプラットフォームによってさらに実行可能である、Ｃ３３に記載の物品。
［Ｃ３６］ 前記コンピュータ実装可能命令が、前記受信信号強度測定値および／または前記伝搬時間測定値のうちの少なくとも１つを特定の測定単位に変換するように前記専用コンピューティングプラットフォームによってさらに実行可能である、Ｃ３１に記載の物品。
［Ｃ３７］ 前記コンピュータ実装可能命令は、前記ネットワークインターフェースを介して、少なくとも１つの他の受信デバイスによって前記送信デバイスから受信され取得された１つまたは複数の他の信号についての少なくとも１つの追加のシグナリング特性にさらに少なくとも部分的に基づいて、前記移動局が前記測位機能において前記送信デバイスについての前記測位データを使用すべきかどうかを判断するように前記専用コンピューティングプラットフォームによってさらに実行可能である、Ｃ３１に記載の物品。
［Ｃ３８］ 前記コンピュータ実装可能命令が、
前記送信デバイスについての前記シグナリング特性のうちの少なくとも１つに少なくとも部分的に基づいて、構造物についての少なくとも１つの電子マップに影響を及ぼすことを行うように前記専用コンピューティングプラットフォームによってさらに実行可能である、Ｃ３１に記載の物品。
［Ｃ３９］ 前記移動局が前記専用コンピューティングプラットフォームを備え、前記コンピュータ実装可能命令が、
前記測位データに少なくとも部分的に基づいて、前記移動局と前記送信デバイスとの間の推定レンジ、または座標系に関する前記移動局の推定ロケーション、または構造物内の１つまたは複数の屋内領域に関する前記移動局の推定ロケーションのうちの少なくとも１つを判断するために前記測位機能の少なくとも一部分を実行すること
を行うように前記専用コンピューティングプラットフォームによってさらに実行可能である、Ｃ３１に記載の物品。
［Ｃ４０］ 前記移動局が前記受信デバイスまたは前記専用コンピューティングプラットフォームのうちの少なくとも１つを備える、Ｃ３１に記載の物品。
【図１】
0006279480.tif 000002
【図２】
0006279480.tif 000003
【図３】
0006279480.tif 000004
【図４】
0006279480.tif 000005
【図５】
0006279480.tif 000006
【図６】
0006279480.tif 000007